(57)【要約】【課題】天井面への汚れの付着を抑制した換気装置を提供する。【解決手段】本体１と、ルーバー７と、給気送風機２と、排気送風機３と、を備えた換気装置において、ルーバー７は、給気パネル９、パネル保持部１１、ルーバーフレーム１４および点検パネル１６を含み、ルーバーフレーム１４は点検開口２４を有し、点検パネル１６は点検開口２４に設けられ、点検パネル１６は、上面部３１と、斜面部３０と、を有し、上面部３１は、天井面１７および給気パネル９と平行な面を含み、斜面部３０は、上面部３１からルーバーフレーム１４に向かって下方に傾斜している面を含み、給気口１２は給気パネル９とルーバーフレーム１４との間に形成され、給気風路における空気は、給気パネル９、パネル保持部１１、および点検パネル１６によって囲まれた空間を通過した後に給気口１２から吹き出す換気装置。【選択図】図５
2019027625.tif 000002
【特許請求の範囲】
【請求項１】
天井面の上方に設けられる箱状の本体と、
前記本体の下方に設けられるルーバーと、
前記本体内に設けられる給気送風機と、
排気送風機と、を備えた換気装置において、
前記ルーバーは、給気パネル、環気パネル、パネル保持部、ルーバーフレームおよび点検パネルを含み、
前記給気パネルおよび前記環気パネルは前記パネル保持部により前記ルーバーフレームに保持され、
前記ルーバーフレームは点検開口を有し、
前記点検パネルは前記点検開口に設けられ、
前記ルーバーは、前記給気パネル側に給気口、前記環気パネル側に環気口を有し、
前記本体の第１側面に外気口および排気口が設けられ、
前記本体の第２側面にメンテナンスパネルが設けられ、
前記給気送風機により前記外気口から前記給気口へ屋外の空気が送風される給気風路が形成され、
前記排気送風機により前記環気口から前記排気口へ室内の空気が送風される排気風路が形成され、
前記点検パネルは、上面部と、斜面部と、を有し、
前記上面部は、前記天井面および前記給気パネルと平行な面を含み、
前記斜面部は、前記上面部から前記ルーバーフレームに向かって下方に傾斜している面を含み、
前記給気口は前記給気パネルと前記ルーバーフレームとの間に形成され、
前記給気風路における空気は、前記給気パネル、前記パネル保持部、および前記点検パネルによって囲まれた空間を通過した後に前記給気口から吹き出すことを特徴とする換気装置。
【請求項２】
前記斜面部の給気口側端部を、前記ルーバーフレームの給気口側端部から前記給気パネルに向かって斜めに切り欠いたことを特徴とする請求項１に記載の換気装置。
【請求項３】
前記上面部は、前記ルーバーフレームの給気口側上端部から外側に突出する突出部を含み、
前記突出部が前記ルーバーフレームの上に載ることにより、前記点検パネルは前記ルーバーフレームに支持されることを特徴とする請求項１または２に記載の換気装置。
【請求項４】
前記上面部の下面に設けられる吸音部を備え、
前記吸音部は、前記上面部の中心を基準として、給気口側に設けられ、前記給気口の反対側には設けられないことを特徴とする請求項１〜３の何れか１項に記載の換気装置。
【発明の詳細な説明】
【技術分野】
【０００１】
本発明は、換気装置に関するものである。
【背景技術】
【０００２】
従来、この種の換気装置としては、建物内に設置され外気を外気給気口から導入し、内蔵する熱交換器を経て室内に供給する換気装置が知られている（例えば、特許文献１参照）。
【０００３】
以下、その換気空調装置について図１０を参照しながら説明する。
【０００４】
図１０に示すように、外装ケーシング１０１は、建物内の天井裏空間に設置される。新鮮外気は、給気口から導入され、パネル吹出口ＵＯを経て室内に供給される給気通風路１１４ｂを通過する。一方、室内の汚れた空気は、パネル吸込口ＵＩから導入され、排気口より室外に排気される排気通風路１１４ａを通過する。熱交換器１０９は、排気口から排気される排気流Ａ１と、給気口から給気された給気流Ｂ１との間で熱交換を行わせる構成としている。
【先行技術文献】
【特許文献】
【０００５】
【特許文献１】特許第５１７４９４９号公報
【発明の概要】
【発明が解決しようとする課題】
【０００６】
このような従来の換気装置においては、吹出口から吹き出す空気により天井面に巻き込む渦流が発生し、天井面へ汚れが付着するという課題があった。
【０００７】
そこで本発明は、上記従来の課題を解決するものであり、空気が天井面に平行な向きに沿って流れ、天井面に巻き込む渦流を低減させることで、天井面への汚れの付着を抑制した換気装置を提供することを目的とする。
【課題を解決するための手段】
【０００８】
そして、この目的を達成するために、本発明の一態様に係る換気装置は、天井面の上方に設けられる箱状の本体と、前記本体の下方に設けられるルーバーと、前記本体内に設けられる給気送風機と、排気送風機と、を備えた換気装置において、前記ルーバーは、給気パネル、環気パネル、パネル保持部、ルーバーフレームおよび点検パネルを含み、前記給気パネルおよび前記環気パネルは前記パネル保持部により前記ルーバーフレームに保持され、前記ルーバーフレームは点検開口を有し、前記点検パネルは前記点検開口に設けられ、前記ルーバーは、前記給気パネル側に給気口、前記環気パネル側に環気口を有し、前記本体の第１側面に外気口および排気口が設けられ、前記本体の第２側面にメンテナンスパネルが設けられ、前記給気送風機により前記外気口から前記給気口へ屋外の空気が送風される給気風路が形成され、前記排気送風機により前記環気口から前記排気口へ室内の空気が送風される排気風路が形成され、前記点検パネルは、上面部と、斜面部と、を有し、前記上面部は、前記天井面および前記給気パネルと平行な面を含み、前記斜面部は、前記上面部から前記ルーバーフレームに向かって下方に傾斜している面を含み、前記給気口は前記給気パネルと前記ルーバーフレームとの間に形成され、前記給気風路における空気は、前記給気パネル、前記パネル保持部、および前記点検パネルによって囲まれた空間を通過した後に前記給気口から吹き出すことにより、所期の目的を達成するものである。
【発明の効果】
【０００９】
本発明によれば、天井面への汚れ付着を低減することができる。
【図面の簡単な説明】
【００１０】
【図１】本発明の実施の形態１の換気装置を示す下方斜視図
【図２】同換気装置を示す正面図
【図３】同換気装置の給気パネル開放時を示す下方斜視図
【図４】同換気装置の側面図
【図５】同換気装置に設けられる点検パネルを示す三面図
【図６】点検パネルが設けられた状態の給気口近傍を示す側面図
【図７】同点検パネルに設けられる吸音部を示す下方斜視図
【図８】同点検パネルに設けられる吸音部を示す底面図
【図９】同点検パネルの開閉の流れを示す断面図
【図１０】従来の換気装置を示す断面図
【発明を実施するための形態】
【００１１】
本発明の一態様に係る換気装置は、天井面の上方に設けられる箱状の本体と、前記本体の下方に設けられるルーバーと、前記本体内に設けられる給気送風機と、排気送風機と、を備えた換気装置において、前記ルーバーは、給気パネル、環気パネル、パネル保持部、ルーバーフレームおよび点検パネルを含み、前記給気パネルおよび前記環気パネルは前記パネル保持部により前記ルーバーフレームに保持され、前記ルーバーフレームは点検開口を有し、前記点検パネルは前記点検開口に設けられ、前記ルーバーは、前記給気パネル側に給気口、前記環気パネル側に環気口を有し、前記本体の第１側面に外気口および排気口が設けられ、前記本体の第２側面にメンテナンスパネルが設けられ、前記給気送風機により前記外気口から前記給気口へ屋外の空気が送風される給気風路が形成され、前記排気送風機により前記環気口から前記排気口へ室内の空気が送風される排気風路が形成され、前記点検パネルは、上面部と、斜面部と、を有し、前記上面部は、前記天井面および前記給気パネルと平行な面を含み、前記斜面部は、前記上面部から前記ルーバーフレームに向かって下方に傾斜している面を含み、前記給気口は前記給気パネルと前記ルーバーフレームとの間に形成され、前記給気風路における空気は、前記給気パネル、前記パネル保持部、および前記点検パネルによって囲まれた空間を通過した後に前記給気口から吹き出すものである。
【００１２】
これにより、給気口から吹き出される空気が点検パネルの斜面部に沿って流れることとなる。すなわち、給気口から吹き出される空気が天井面に平行な向きに沿って流れることで、天井面に巻き込む渦流を低減し、天井面への汚れ付着を抑制する。
【００１３】
また、前記斜面部の給気口側端部を、前記ルーバーフレームの給気口側端部から前記給気パネルに向かって斜めに切り欠いてもよい。
【００１４】
このような構成とすることで、点検パネルを取り付けた状態において給気口側端部がルーバーフレームに当たらなくなる。これにより、取り外しの際に点検パネルがルーバーフレームに引っかかりにくくなり、メンテナンスの際の作業性が向上する。
【００１５】
また、前記上面部は、前記ルーバーフレームの給気口側上端部から外側に突出する突出部を含み、前記突出部が前記ルーバーフレームの上に載ることにより、前記点検パネルは前記ルーバーフレームに支持される構成でもよい。
【００１６】
このような構成とすることで、点検パネルの上面部の一辺がルーバーフレーム上にあるので、点検パネルをルーバーフレームにのせるだけで、突出部を支点に点検パネルがルーバーフレームに支持される。これにより、点検パネルから両手を離した状態でも作業ができ、メンテナンスの際の作業性がさらに向上する。
【００１７】
また、前記上面部の下面に設けられる吸音部を備え、前記吸音部は、前記上面部の中心を基準として、給気口側に設けられ、前記給気口の反対側には設けられない構成としてもよい。
【００１８】
これにより、吸音部が風路の妨げにならないため、給気口から吹き出される風量を確保しつつ、給気送風機などにより発生する騒音が室内に届くことを低減することができる。
【００１９】
以下、本発明の実施の形態について図面を参照しながら説明する。
【００２０】
（実施の形態１）
本発明の第１の実施の形態に係る換気装置について、図１〜図４を用いて本体の構成とルーバーの構成について説明する。
【００２１】
図１、２に示すように、換気装置は、本体１と、ルーバー７と、給気送風機２と、排気送風機３と、全熱交換素子６とを備える。
【００２２】
本体１は、箱状で、天井面の上方に設けられる。
【００２３】
給気送風機２および排気送風機３は、本体１の内部に設けられる。
【００２４】
ルーバー７は、本体１の下方に設けられる。
【００２５】
ルーバー保持部８は、本体１とルーバー７を接続する。
【００２６】
ルーバー７は、給気パネル９と、環気パネル１０と、パネル保持部１１と、ルーバーフレーム１４と、点検パネル１６とを含む。
【００２７】
給気パネル９および環気パネル１０は、パネル保持部１１によりルーバーフレーム１４に保持される。
【００２８】
ルーバーフレーム１４は、点検開口２４を有し、点検パネル１６は点検開口２４に設けられる。
【００２９】
ルーバー７は、給気パネル９側に給気口１２、環気パネル１０側に環気口１３を有している。
【００３０】
本体１および点検パネル１６は天井面１７の上方に設けられる。
【００３１】
ルーバーフレーム１４の一部と、パネル保持部１１と、給気パネル９と、環気パネル１０と、は天井面１７の下方に設けられ、室内空間に露出している。
【００３２】
本体１において、第１側面２５には外気口４および排気口５が設けられ、第２側面２６にはメンテナンスパネル１５が設けられる。
【００３３】
給気送風機２により外気口４から給気口１２へ屋外の空気が送風される給気風路Ａが形成される。また、排気送風機３により環気口１３から排気口５へ室内の空気が送風される排気風路Ｂが形成される。
【００３４】
給気口１２は、給気パネル９とルーバーフレーム１４との間に形成される。
【００３５】
給気風路Ａにおける空気は、給気パネル９、パネル保持部１１、および点検パネル１６によって囲まれた空間を通過した後に給気口１２から吹き出す。
【００３６】
点検パネル１６は、取り外せるものであり、例えばメンテナンスの際に開けられ（取り外され）、給気口１２から給気を行う場合は閉められている（取り付けられている）。
【００３７】
ここで図５、６を用いて、点検パネル１６の構成について説明する。
【００３８】
図５に示すように、点検パネル１６は、上面部３１と、斜面部３０とを含む。
【００３９】
上面部３１は、天井面１７および給気パネル９と平行な面を含む。
【００４０】
斜面部３０は、外側に向かって、すなわち上面部３１からルーバーフレーム１４に向かって下方に傾斜している面を含む。
【００４１】
これにより、空気が天井面１７に平行な向きに沿って流れ、天井面１７に巻き込む渦流を低減し、天井面１７への汚れ付着を抑制する。
【００４２】
天井面１７の上方に設けられる点検パネル１６によって天井面１７への汚れ付着を抑制することができるため、給気パネル端部２０を折り曲げるなどして、空気を吹き出す方向を変更する必要がなくなる。すなわち、給気パネル９を天井面１７に平行に設けることができることになり、美観性を向上させつつ、天井面１７への汚れの付着を抑制することができる。
【００４３】
また、斜面部３０の給気口側端部３２を、ルーバーフレーム１４の給気口側上端部３５から給気パネル９に向かって斜めに切り欠いているという構成にしてもよい。
【００４４】
これにより、図６に示すように、給気口側端部３２がルーバーフレーム１４に当たらなくなり、取り外しの際に点検パネル１６が引っかかりにくくなり、メンテナンスの際の作業性が向上する。
【００４５】
また、上面部３１は、ルーバーフレーム１４の給気口側上端部３５から外側に突出する突出部３３を含むという構成としてもよい。なお、ここでいう外側とは、本体１から給気口１２へ向かう方向をいう。
【００４６】
この構成により、突出部３３、すなわち点検パネル１６の上面部３１の一辺がルーバーフレーム１４上にあるので、ルーバーフレーム１４に載せるだけで、突出部３３を支点に点検パネル１６がルーバーフレーム１４に支持される。これにより、点検パネル１６から両手を離した状態でも作業ができ、メンテナンスの際の作業性がさらに向上する。
【００４７】
また図７、８に示すように、点検パネル１６は、上面部３１の下面に設けられる吸音部３４を備えていてもよい。この場合、吸音部３４は、上面部３１の中心を基準として、給気口１２側に設けられ、給気口１２の反対側には設けられない構成としてもよい。
【００４８】
これにより、吸音部３４が風路の妨げにならないため、給気口１２から吹き出される風量を確保しつつ、給気送風機２などにより発生する騒音が室内に届くことを低減することができる。
【００４９】
なお、排気送風機３は本体１の内部に設けたが、本体１の外に設けてもよい。
【００５０】
また、給気パネル９と環気パネル１０が一体である構成としてもよい。
【００５１】
なお、図９に示すように、点検パネル１６は、例えば、点検パネル保持部５０でルーバーフレーム１４に保持される構成としてもよい。この場合、点検パネル１６を開閉する際に、点検パネル保持部５０を支点に点検パネル１６が回動する構成としてもよい。
【００５２】
なお、給気口１２は、給気口正面部２２と給気口側面部１８を有していてもよい。
【００５３】
給気口正面部２２は、主に第１側面２５に平行な方向に沿って空気を吹き出す部分であり、給気口側面部１８は、主に第２側面２６に平行な方向に沿って空気を吹き出す部分である。
【００５４】
これにより、複数方向から空気を吹き出すことが可能となる。なお、この場合においても、点検パネル１６の斜面部３０により、給気口側面部１８から吹き出す空気が天井面１７に沿って流れることとなるため、天井面１７への汚れの付着を抑制することができる。
【００５５】
なお、平行とは、完全な平行だけでなく、例えば０〜５°或いは０〜１０°程度傾いた状態も含むものとする。
【産業上の利用可能性】
【００５６】
本発明にかかる換気装置は、外気と室内空気の熱交換を目的とするダクト式の熱交換気装置、ダクト式の空気調和装置などの用途としても有効である。
【符号の説明】
【００５７】
１    本体
２    給気送風機
３    排気送風機
４    外気口
５    排気口
６    全熱交換素子
７    ルーバー
８    ルーバー保持部
９    給気パネル
１０    環気パネル
１１    パネル保持部
１２    給気口
１３    環気口
１４    ルーバーフレーム
１５    メンテナンスパネル
１６    点検パネル
１７    天井面
１８    給気口側面部
２０    給気パネル端部
２２    給気口正面部
２４    点検開口
２５    第１側面
２６    第２側面
３０    斜面部
３１    上面部
３２    給気口側端部
３３    突出部
３４    吸音部
３５    給気口側上端部
５０    点検パネル保持部
【図１】
2019027625.tif 000003
【図２】
2019027625.tif 000004
【図３】
2019027625.tif 000005
【図４】
2019027625.tif 000006
【図５】
2019027625.tif 000007
【図６】
2019027625.tif 000008
【図７】
2019027625.tif 000009
【図８】
2019027625.tif 000010
【図９】
2019027625.tif 000011
【図１０】
2019027625.tif 000012